(57)【要約】【課題】包装体の取出し口周辺のシートの湿潤に使用した中液による濡れに起因する接着不良を生じないようにして包装体の密封性を改善し、品質の安定化を向上したウェットシート包装体を提供する。【解決手段】折り畳まれたウェットシートを収納する包装容器と該容器天面の開閉フラップとからなり、該容器天面の略中央部に該ウェットシート取出しのための取出し口が設けられ、該取出し口を封止可能な、適宜、一端に剥離停止部が形成された開閉フラップを備え、且つ該開閉フラップは該天面切離し部と協働して該包装容器の開閉蓋として該取出し口を開閉する包装体において、略中央部に空所を有する吸液性シートが該容器の天面に固着されており、さらに該吸液性シートの上面に該開閉フラップが貼着自在に配置されていることを特徴とするウェットシート包装体。【選択図】図２
2007119063.tif 000002
【特許請求の範囲】
【請求項１】
折り畳まれたウェットシートを収納する包装容器と該容器天面の開閉フラップとからなり、該容器天面の略中央部に該ウェットシート取出しのための取出し口が設けられ、該取出し口を封止可能な、適宜、一端に剥離停止部が形成された開閉フラップを備え、且つ該開閉フラップは該天面切離し部と協働して該包装容器の開閉蓋として該取出し口を開閉する包装体において、略中央部に空所を有する吸液性シートが該容器の天面に固着されており、さらに該吸液性シートの上面に該開閉フラップが貼着自在に配置されていることを特徴とするウェットシート包装体。
【請求項２】
上記貼着自在部は、上記吸液性シートの存在によって吸水又は吸油による影響を受けることなく容器内部の密封性を維持することを特徴とする請求項1に記載のウェットシート包装体。
【請求項３】
上記包装容器が、天面にウェットシート取出し口が設けられたピロー包装体であることを特徴とする請求項１又は２に記載のウェットシート包装体。
【請求項４】
上記包装容器が、天面にウェットシート取出し口が設けられた、プラスチック、紙、木又は金属より形成された箱形容器であることを特徴とする請求項１〜３に記載のウェットシート包装体。
【請求項５】
上記吸液性シートの略中央部の空所は、切抜き穴によって形成されたものであり、該穴の内寸は上記ウェットシートの取出し口に等しいか又はそれより大きいことを特徴とする請求項１〜４のいずれかに記載のウェットシート包装体。
【請求項６】
上記吸液性シートが、吸水性又は吸油性を有するシートで、微細多孔質合成樹脂フィルム、不織布、織布、織物、紙、植粒又は植毛されたシートから選ばれたものであることを特徴とする請求項１〜５のいずれかに記載のウェットシート包装体。
【請求項７】
上記吸液性シートに代えて吸液性の印捺部が設けられてなることを特徴とする請求項1〜５のいずれかに記載のウェットシート包装体。
【発明の詳細な説明】
【技術分野】
【０００１】
本発明は、ウェットシートを収納する容器の天面のウェットシートの取出し口周辺に、吸水性又は吸油性を有する微細多孔質の吸液性シートを天面に固着しておき、この吸液性シートと開閉フラップを貼着自在とすることにより、ウェットシート包装体内に封入中の中液の水分や油分の付着に起因する開閉フラップの接着性を低下することなく、密封性及び品質安定性を改善したウェットシート包装体に関する。
【背景技術】
【０００２】
ウェットティッシュや化粧料を含浸した不織布を折畳みや積層して収納した包装体では、ウエットティッシュの取出し口に感圧接着剤を塗布したシート状蓋を設けることは、特開昭５７−０２２０４１号公報（特許文献１）、特開昭５８−１７１３６７号公報（特許文献２）、ピロー包装体の天面に切離し用切込み（ハーフカット域）を設けて、開封後に取出し口を覆うように感圧接着剤を塗布した開閉フラップを貼着自在とした構成は知られている。
さらに、内容物を消費して包装体の嵩が低くなると、取出し口周辺の感圧接着部に皺が入り密閉性が低下することがあるが、この皺による密封性低下の問題を改良した技術として、シート状蓋又は開閉フラップと包材の間に補強板として透明なポリエステルシートを設けて密封性を維持した包装体が特開２０００−２２９６８１号公報（特許文献３）に知られている。
また、不織布等に含浸した中液に含まれる水分や油分により、取出し口周辺の感圧接着剤が濡れると、シート状蓋又は開閉フラップと包材との接着性が低下し、包材内部の密封性が不良になる問題がある。これに対しては、中枠やトレーを挿入して空間を設けて濡れ難くする方法が実開昭５８−０８８３６６号公報（特許文献４）、特開平０１−２２６５７９号公報（特許文献５）、特開平０７−４１０６１号公報（特許文献６）に提案されている。
しかし、いずれの上記公知技術も取出し口周辺の濡れを完全に防止することはできず、水や油で濡れると開閉フラップと包材との接着力がほとんどなくなり、密封性が悪くなる。上述するように中枠やトレー等の挿入によって濡れを防ぐ多少の効果は得られるが、中液の取出し口周辺への漏れ出しを完全に防止することはできず、また包装体が嵩高になるために携帯用には不便となり、利便性に欠けていた。
【０００３】
【特許文献１】特開昭５７−０２２０４１号公報
【特許文献２】特開昭５８−１７１３６７号公報
【特許文献３】特開２０００−２２９６８１号公報
【特許文献４】実開昭５８−０８８３６６号公報
【特許文献５】特開平０１−２２６５７９号公報
【特許文献６】特開平０７−４１０６１号公報
【発明の開示】
【発明が解決しようとする課題】
【０００４】
上述するようにウェットシート包装容器の取出し口の蓋として機能する開閉フラップは、含浸液や中液を多量に含むウェットシートの繰り返し取出しによって感圧接着剤が容器内の該液で濡れると、中液に含まれる水分や油分によって感圧接着剤面に液層膜が生成して接着力が得られなくなる問題を有している。
このため、数回のウェットシートの取出し使用で開閉フラップの接着不良により袋の密封不良を招き、ウェットシートが外気により乾燥して、品質の安定性を損ねるので、開閉フラップの繰り返しによる接着力が低下する問題の改善を求める要請が高い。
本発明は、含浸液の水性又は油性を問わず、ウェットシートの繰り返し取出し時に感圧接着面が濡れても液層膜を生成しない構造とすることにより、感圧接着剤の接着力の著しい低下による容器内の密封性の改善、耐久性の向上を図り、品質安定性を高めたウェットティッシュ容器を実現することを課題とする。
【課題を解決するための手段】
【０００５】
すなわち、本発明は以下の構成を基本とするものである。
（１）折り畳まれたウェットシートを収納する(A)包装容器と(B)該容器天面の開閉フラップとからなり、該容器天面の略中央部に該ウェットシート取出しのための取出し口が設けられ、(C)取出し口を封止可能な、適宜、一端に剥離停止部が形成された開閉フラップを備え、且つ(D) 該開閉フラップは該天面切離し部と協働して該包装容器の開閉蓋として該取出し口を開閉する包装体において、(1)略中央部に空所を有する吸液性シートが該容器の天面に固着されており、さらに(2)該吸液性シートの上面に該開閉フラップが貼着自在に配置されていることを特徴とするウェットシート包装体。
（２）上記貼着自在部は、上記吸液性シートの存在によって吸水又は吸油による影響を受けることなく容器内部の密封性を維持することを特徴とする（１）に記載のウェットシート包装体。
（３）上記包装容器が、天面に取出し口が設けられたピロー包装体であることを特徴とする(１)又は（２）に記載のウェットシート包装体。
（４）上記包装容器が、天面に取出し口が設けられたプラスチック、紙、木又は金属より形成された箱形容器であることを特徴とする（１）〜（３）に記載のウェットシート包装体。
（５）上記吸液性シートの略中央部の空所は、切抜き穴によって形成されたものであり、該穴の内寸は上記ウェットシートの取出し口に等しいか又はそれより大きいことを特徴とする(１)〜（４）のいずれかに記載のウェットシート包装体。
（６）上記吸液性シートが、吸水性又は吸油性を有するシートで、微細多孔質合成樹脂フィルム、不織布、織布、織物、紙、植粒又は植毛されたシートから選ばれたものであることを特徴とする（１）〜（５）のいずれかに記載のウェットシート包装体。
（７）上記吸液性シートに代えて吸液性の印捺部が設けられてなることを特徴とする（１）〜（５）のいずれかに記載のウェットシート包装体。
【０００６】
本発明のウェットシート包装体の容器としては、ピロー包装による袋体とプラスチック、紙やその他、比較的硬質の材料で形成された容器がある。    
このうち、前者のピロー包装法で形成されたものは、ピロー包装機によりヒートシール製袋されるため、柔軟なシートでヒートシーラントをラミネートしたフィルムが用いられる。
このフィルムとしては、ポリエチレンをヒートシーラントとしたＰＥＴ／ＰＥ．ＯＰＰ／ＰＥ．ＰＥＴ／ＡＬ／ＰＥなどのラミネートフィルムがあり、容器内部の含浸液又は中液等の薬液に対して水蒸気バリア性、酸素バリア性、耐油性、遮光性を必要とする素材を用いるのがよい。
【０００７】
ピロー包装容器の天面の取出し口は、閉ループ又は開ループに切離し可能にハーフカット線を設けておき、開封時にこのハーフカット域を切り離してウェットシート取出しのための取出し口とし、天面に設けた開閉フラップを開閉蓋として機能させることは知られているが、本発明では、取出し口の周辺に、特に吸液性シートを天面に固着して設けるところに特徴があり、該吸液性シートと開閉フラップとの間において貼着自在とするものである。
なお、取出し口の形状は楕円形、円形等の適宜の形状にすればよく、それに対応して開閉フラップの形状も変形させることができる。
【０００８】
一方、プラスチック、紙、木又は金属等の比較的硬質の材料で形成された容器としては、天面に取出し口を設けた箱体の形状のものでよく、この場合でもピロー包装体と同様にウェットシートの取出し口周辺に吸水性又は吸油性を有する吸液性シートを容器天面に固着する。
本発明によれば、容器天面と開閉フラップの間に吸液性シートを介在させて接着させるが、天面と吸液性シートは固着している必要があり、吸液性シートと開閉フラップは感圧接着剤により貼着自在に接着させているので、容器内部から漏出する水分又は油分が吸液性シートの貼着部に付着しても吸液性シートの吸液性により貼着面に液体の膜が生じることがなく、接着低下が起こらず、容器内部のウェットシートの品質の低下を防ぐことができる。
【０００９】
本発明で使用する吸液性シートは、吸水性又は吸油性を有する微細多孔質の合成樹脂材料で、フィルム、不織布、織布、紙、又は植粒か植毛したシートから選ばれたものである。合成樹脂の種類を特定するものではなく、毛細管により吸水性や吸油機能を有すればよい。
吸液性シートの適当な素材としては、マイクロポーラスフィルム（住友スリーエム株式会社製品、素材；ポリオレフィン）、イージーオープンフィルム（旭化成工業株式会社製、素材；ＰＥＴ）、ポリテトラフルオロエチレンフィルム（日本ミリポア株式会社製品）、ポリオウレタン湿式発泡シート、ミクロフィルターフィルム等と同効果を有するものを用いることができる。ポリオレフイン、フッ素系合成樹脂を素材とする０．１〜１０μｍの連続微細孔を有する多孔性フィルムが優れた効果を発揮する。    
【００１０】
上記例示したフィルムの他に、アクリル酸をグラフトして吸水性を向上した素材、パーマローズ表面処理により吸水処理した素材、セルロース系又はＰＶＡ系の多孔性フィルムを用いることができる。
吸液性シートして用いる不織布や織布は、繊維が微細でシート表面に微細な凹凸による液溜りがあることが好ましい。
紙は、合成紙、化粧用あぶらとり紙に微細な凹凸をエンボスしたものが好ましい。
植粒、植毛には、カオリン、二酸化珪素、無水ケイ素、ケイ酸アルミニウムマグネシウム、セリサイト、タルク、麻粉末、コットン粉末、バイオセルロース粉末、シルク粉末、アクリル系ビーズ、ポリウレタン系ビーズ、ガラス系ビーズの５μｍ以下の粒子を用いることができる。
植粒シートは、シート表面に接着剤を塗布して、その表面に静電植毛により植粒したものが好ましい。ＰＥＴ／ＰＥのようなヒートシールフィルムのシーラント面をホットメルトして静電植毛式にホットメルト植粒して用いることもできる。  
【００１１】
ウェットシートは、不織布を基材として中液を含浸したものが適当であるが、基材に対して含浸率が１５０重量％程度以下では容器天面と開閉フラップの接触面の中液による濡れが少ないので、吸液性シートの内径は取出し口と同一でもよいが、基材に対して中液の含浸率が１５０重量％以上になると、取出し口の周縁からの中液の漏れ出しが多くなるので、吸液性シートの内径は取出し口の外寸より１ｍｍ〜５ｍｍ大きして中液の漏れ出しの緩衝域とすることが好ましい。  
一方、吸液性シートの外寸は、開閉フラップの外寸と同じでも、小さくても、大きくてよいし、さらに容器天面全域の覆うものでもよい。
【００１２】
また、吸液性シートに代えて、吸液性の素材による印捺部を設けても同様の効果を発揮させることができる。
吸液性を有する印捺部を設けるとは、微粒子を印刷、印捺又は転写により吸水性又は吸油性を有するようにするものであり、微粒子としては、カオリン、二酸化珪素、無水ケイ酸、ケイ酸アルミニウムマグネシウム、セリサイト、タルク、麻粉末、コットン粉末、バイオセルロース粉末、シルク粉末、アクリルビーズ、ポリウレタンビーズ、ガラスビーズを用いることができる。微粒子は５μｍ以下好ましくは３μｍ以下のものが好ましい。該印捺面に液体により濡れても、微粒子間隙に液体が浸透して、微粒子の頭出しが接着に機能するために、濡れによる接着低下や粘着不能を招くことがない。該印捺部の下地をブラッシング等により微細な傷を付与することは吸液効果を高めることができる。
【００１３】
印捺部を設けるためには、フィルムの表面を、ブラッシング等により微細な傷をつけて、アクリル酸をグラフトして吸水性を向上したものや、パーマローズ表面処理により吸水処理をしたもの、セルロース系又はＰＶＡ系の多孔性フィルムをラミネートしたものも、開閉フラップの貼着自在に不都合を生じないようにすることができるけれども、効果を必要とする部分が粘着部のみであるから経済的でない。フィルムの印捺時に必要部のみを吸液性を有する機能を施すには印捺が合理的である。
【００１４】
吸液性を有する印捺は、先に吸液性シートの形状と同様に中抜きされた小判状でも、ドーナツ状でもよい。ドーナツ状では、内径が取出し口と同一でもよいが、吸液性印捺部の縁から濡れて浸透が拡大し易いので、取出し口より１ｍｍ〜５ｍｍ大きい内径として緩衝領域を設けることが好ましい。吸液性印捺部の外寸は、開閉フラップの外寸と同じでもよいが、やや小さくてもよいが、大きい場合には特に制限を設けるものではない。
【発明の効果】
【００１５】
本発明では、容器天面と開閉フラップの間に吸液性シートを介在させて接着、天面と吸液性シートは完全固着、吸液性シートと開閉フラップは感圧接着剤により貼着自在に接着させることによって、容器内部から漏出する水分又は油分が貼着部に付着しても吸液性シートの吸液性により接着面に液体の膜が生じないために接着低下を招くことがない。
そして、本発明のウェットティッシュ容器は、含浸液の水性又は油性を問わず、ウェットシートの繰り返し取出し時に感圧接着面が濡れても液層膜を生成しない構造であるから、感圧接着剤の接着力の低下による容器内の密封性の改善、耐久性の向上を図り、品質安定性を高めることができる。
【００１６】
本発明の包装体の開閉フラップによる開閉状態を図面で説明する。
図1は、本発明の容器１の斜視図、図２は、本発明の容器の開閉フラップを持ち上げた開蓋状態、図３は、同じく開閉フラップを持ち上げた開蓋状態（図２の変形例）、図４は、図２の容器１の開封前の容器天面部の断面図、図５は図４の変形例、図６は、プラスチックや紙などの比較的硬質の材料で形成した箱形容器の開蓋時の斜視図、図７は、本発明の硬質の箱形容器の場合の天面、開閉フラップ、吸液性シートの分解斜視図、をそれぞれ示す。
【００１７】
図１に示す本発明の容器１の天面の断面は、図４に示すように容器天面の上面に、該吸液性シート２及び開閉フラップ３が配置された構造となっている。
さらに、開閉フラップ３の容器に面する側には、感圧接着剤４が塗布されており、開閉フラップ３の外径と略同一形状の微細多孔性の吸液性シート２の打抜き残部（円形、小判形、適宜の方形の穴が打ち抜かれた残りのドーナツ状のもの）及び開閉フラップ３が配置されている。
図１〜３の開閉フラップ３の一端は、図７に示すように開閉フラップを持ち上げたときにフラップ全体が剥離しないような剥離停止部１２が形成されていてもよいし、形成されていなくてもよい。
【００１８】
図４及び図５は、ピロー包装体容器の天面に開閉フラップが配置された状態（使用前）の断面を示すもので、図４では、吸液性シートのカット線７と容器天面に設けた、切離しのためのハーフカット線６が略同一線上にあるが、図５のものはハーフカット線６がその内側にあり、この寸法差の域が中液の漏れだしの緩衝域となる。
使用前（最初の開封）には、開閉フラップ３は、図４又は５に示すように吸液性シート２の空隙２’を介して容器１の天面８に感圧接着剤によって接着しており、容器を開封するときに開閉フラップ３を強く持ち上げると、フラップと接着している天面切離し部１’が連動して引き裂かれ、容器のウエットティッシュ取出しのための取出し口１１を形成することとなる。第1回目の使用以後は、取出しのたびに開閉フラップ３と切離し部１’は協働して、取出し口１１の蓋として機能する。
また、開閉フラップ３は、図7に示すように、一端に剥離停止部１２が形成されていてもよいし、されていなくてもよい。
【００１９】
吸液性シート２は、微細多孔性素材より形成されるのがよいが、取出し口１１の形状に略相当する、穴１３が打ち抜かれている。７は、その切抜きのカット線を示す。適宜形状の穴１３を打ち抜かれた吸液性シート２は、強力な接着剤５によって容器１の天面から切り離された取出し口１１の外縁周辺に接着されている。
また、該吸液性シート２は、接着剤５によって容器１の天面に固着されており、その逆の面（図面では上方）には、感圧接着剤４によって開閉フラップ３が蓋の開閉に応じて貼着自在となっている。
さらに、該吸液性シートに代えて印刷、印捺又は転写により吸水性又は吸油性の印捺部を設けても同様の効果を発揮することができる。
【００２０】
上述するように開蓋の２回目以降は、開閉フラップ３と容器天面の切離し部１’とは接着された状態で協働し、開閉フラップの感圧接着剤を塗布した域１０は吸液性シート２と貼着自在となっている。吸液性シート２の存在によって、水性又は油性の含浸液又は中液の漏れ出しで感圧接着剤層１０が濡れたとしても、該感圧接着力４が該液を吸収して表面に液膜が生成することがないので、感圧接着剤４の接着力の著しい低下がなく、取出し口の蓋としての密封性を保つことができる。
箱形容器の場合は、図7の分解斜視図に示すように、箱の天面１、開閉フラップ３、吸液性シート２からなるが、ピロー包装体の場合と同様に、吸液性シート２を介在させているので、取出し口の周辺が濡れても開閉フラップの貼着に影響はない。
また、図7では、開閉フラッップの一部が天面に接着されているが、開閉フラップが硬質容器から完全な分離タイプであっても、吸液性シートが容器天面に接着されている限り同様の効果を発揮する。
【００２１】
（実施例）
ＰＰ／１Ｌ／ＰＥによるラミネートフィルムからなる容器１の中央部に、長径50mm、短径32mmの楕円のハーフカットを入れて、天面切離し部の上部に、長さ85mm、幅50mmのシート状蓋状の微細多孔性の吸液性シート２のシート状蓋状の中央に長径56mm短径38mmの楕円を切り込んでアクリル系接着剤で貼着した。
容器１の楕円の天面切離し部と多孔性の吸液性シート２のカットとの間に幅３mmの含浸液の浸透防止領域を設けた。次いで、多孔性の吸液性シート２の上面に同型同寸のポリエステルシートにアクリル系の感圧接着剤４を塗布した開閉フラップ３を積層してシート状蓋を構成した。
【実施例１】
【００２２】
吸液性シートとして、マイクロポーラスフィルムを使用した。
下記処方の中液（水性液１、水性液２，油性液１、油性液２）各１ｍＬで、取出し口を濡らした場合と、濡らさなかった場合の、３０分後の開閉フラップの剥離強度（幅５０ｍｍ、単位はニュートン）及び強度保持率を試験した。
なお、濡れ試験に用いた中液として、下記の処方を用いた。
(A)水性液１；精製水を使用
(B)水性液２；クレンジング用Ｏ／Ｗ水性液（精製水80％、1.3-BG６％、
PG ６％、エタノール７％、非イオン界面活性剤１％）
(C)油性液１；スクワランを使用
(D)油性液２；クワラン含有Ｗ／Ｏ油性液（流動パラフィン20％、
スクワラン10％,PG ７％,非イオン界面活性剤１％,精製水62％）
【実施例２】
【００２３】
吸液性シートとして、イージーオープンフィルムを使用した。
【実施例３】
【００２４】
吸液性シートとして、湿式ポリウレタン発泡シートを使用した。
【実施例４】
【００２５】
吸液性シートとして、あぶらとり紙を使用した。
【実施例５】
【００２６】
吸液性シートとして、二酸化珪素を植粒したＰＥシートを使用した。
【実施例６】
【００２７】
吸液性シートとして、ポリウレタンビーズと麻粉末を植粒したＰＥシートを使用した。
【実施例７】
【００２８】
３μmの二酸化珪素をドーナツ状に印刷した包材フィルム感圧接着部が濡れていない場合と、１mLを滴下して濡らした場合について、３０分後のフラップの剥離強度を幅５０cmで測定（単位；ニュートン）して表３に示した。また、濡らした場合の強度保持率についても表示した。
【実施例８】
【００２９】
２μmの麻粉末をドーナツ状に印刷した。
【００３０】
（対比試験）
本発明の印刷をする前の包材フィルム(未処理)
吸液性シートとしてポリウレタンビーズと麻粉末を植粒したＰＥシートを使用した容器（本発明）と、未処理容器(比較例)を使用して、上記処方の中液（水性液１、水性液２、油性液１、油性液２）各１mLで、取出し口を濡らした場合と、濡らさなかった場合の、３０分後の開閉フラップの剥離強度（幅５０mm、単位はニュートン）及び強度保持率を試験した。
結果を表１、表２及び表３に示した。
【００３１】
【表１】
2007119063.tif 000003
[注]          
１．単位はニュートン
２．％は、30分後の強度保持率
【００３２】
【表２】
2007119063.tif 000004
【００３３】
【表３】
2007119063.tif 000005
【００３４】
（結果の評価）
実施例１では、油性液体の濡れに対して、濡れない場合の75〜79％の感圧接着力が保たれており、水性液に対しては63〜65％の保持率、実施例２では、油性液体の濡れに対して、濡れない場合の60〜62％の感圧接着力が保たれており、水性液に対しては71〜73％の保持率が得られている。
また、実施例３では、油性液体の濡れに対して、濡れない場合の47〜49％の感圧接着力でやや低いが、水性液に対しては79〜81％と高い保持率が得られている。
さらに実施例４では、油性液体の濡れに対して、濡れない場合の86％、水性液に対しては75％と高い保持率、実施例５では、油性液体の濡れに対して、濡れない場合の76％、水性液に対しては81％と高い保持率、実施例6では、油性液体の濡れに対して、濡れない場合の61％の感圧接着力、水性液に対しては77％と高い保持率が得られている。
また、実施例7、８の吸液性の印捺部を設けた場合でも、油性液体及び水性液の濡れに対しても実施例1〜６の吸水性シートの場合とそれほど変わらなかった。
一方、比較例では、水性液の場合２％、油性液の場合１％、の接着力保持率しかなく密封性が得られないことが確認できた。
【図面の簡単な説明】
【００３５】
【図１】本発明の包装体の斜視図を示す。
【図２】本発明の包装体の開蓋状態を示す。
【図３】本発明の包装体の開蓋状態（変形例）を示す。
【図４】本発明の包装体の天面の断面図を示す。
【図５】図４の変形例を示す。
【図６】本発明の包装体が箱形容器であるときの斜視図を示す。
【図７】容器天面、吸液性シート、開閉フラップの分解斜視図を示す。
【符号の説明】
【００３６】
１  容器の天面
１’天面の切離し部（ハーフカット線で仕切られた域）
２  吸液性シート
２’空所
３  開閉フラップ
４  感圧接着剤
５  接着剤
６  天面のハーフカット線
７  吸液性シート２の切抜き線
８  天面
１０  貼着自在部
１１  取出しのための取出し口
１２  フラップの剥離停止部
１３  吸液性シートの切抜き穴
【図１】
2007119063.tif 000006
【図２】
2007119063.tif 000007
【図３】
2007119063.tif 000008
【図４】
2007119063.tif 000009
【図５】
2007119063.tif 000010
【図６】
2007119063.tif 000011
【図７】
2007119063.tif 000012